(57)【要約】【課題】ラック内に配置される電子機器を効率よく冷却することができる電子機器を提供すること。【解決手段】本発明に係る電子機器１０は、筐体側壁１４にガイドレール装置２０と側壁開口部１８とを備え、ガイドレール装置２０は、筐体側壁１４に固定されたインナーレールと、インナーレールを遊挿するアウターレールとからなり、アウターレールは、インナーレールが遊挿されるガイド部と、ガイド部の上下方向に平行して設けられ、正面側から背面側に通気可能でかつ筐体側壁１４側に開口した横断面凹字状の冷却流路部とを有し、アウターレールは、冷却流路部が側壁開口部１８に面するように設けられ、冷却流路部と筐体１２内とが側壁開口部１８を介して通気可能になっている。【選択図】  図１
2007272293.tif 000002
【特許請求の範囲】
【請求項１】
筐体側壁にガイドレール装置と側壁開口部とを備え、
前記ガイドレール装置は、前記筐体側壁に固定されたインナーレールと、このインナーレールを遊挿するアウターレールとからなり、
このアウターレールは、前記インナーレールが遊挿されるガイド部と、このガイド部の上下方向に平行して設けられ、正面側から背面側に通気可能でかつ前記筐体側壁側に開口した横断面凹字状の冷却流路部とを有し、
前記アウターレールは、前記冷却流路部が前記側壁開口部に面するように設けられ、前記冷却流路部と筐体内とが前記側壁開口部を介して通気可能にされたことを特徴とする電子機器。
【請求項２】
前記電子機器のアウターレールは、ラックに固定されることを特徴とする請求項１記載の電子機器。
【請求項３】
前記アウターレールは、前記インナーレールを前記ガイド部に収納した状態で、前記冷却流路部内の前記側壁開口部に相対する位置よりも背面側に、前記冷却流路部内の通気を遮断する仕切り弁を設けたことを特徴とする請求項１または請求項２記載の電子機器。
【請求項４】
前記アウターレールは、前記インナーレールを前記ガイド部に収納した状態で、前記冷却流路部内の前記側壁開口部に相対する位置よりも正面側に、前記冷却流路部内の通気を遮断する仕切り弁を設けたことを特徴とする請求項１または請求項２記載の電子機器。
【請求項５】
前記アウターレールは、前記冷却流路部内に、前記冷却流路部内の通気を遮断する移動自在な仕切り弁を設けたことを特徴とする請求項１または請求項２記載の電子機器。
【請求項６】
前記アウターレールは、前記インナーレールを前記ガイド部に収納した状態で、前記冷却流路部内の前記側壁開口部に略対向する位置に、前記冷却流路部から前記側壁開口部への通気を付勢するファンを設けたことを特徴とする請求項１〜請求項３および請求項５のいずれか１項記載の電子機器。
【請求項７】
前記アウターレールは、前記インナーレールを前記ガイド部に収納した状態で、前記冷却流路部内の前記側壁開口部に略対向する位置に、前記側壁開口部から前記冷却流路部への通気を付勢するファンを設けたことを特徴とする請求項１、請求項２、請求項４および請求項５のいずれか１項記載の電子機器。
【請求項８】
筐体正面に正面開口部を備えたことを特徴とする請求項１〜請求項７のいずれか１項記載の電子機器。
【発明の詳細な説明】
【技術分野】
【０００１】
本発明は、電子機器に関し、特にラックに収納して用いられる電子機器に関する。
【背景技術】
【０００２】
情報システム部門やデータセンター等で用いられるサーバーは、大量のサーバーを効率よく収納することができるラックマウント型のものが主流になっている。
【０００３】
たとえば、ＥＩＡ（Ｅｌｅｃｔｒｏｎｉｃ  Ｉｎｄｕｓｔｒｉｅｓ  Ａｌｌｉａｎｃｅ；米国電子機械工業会）は、ラックマウント型のサーバー（以下、「ラックマウントサーバー」という。）の規格としてのＴＩＡ／ＥＩＡ−３１０−Ｄを規定している。
【０００４】
ＴＩＡ／ＥＩＡ−３１０−Ｄは、ラックマウントサーバーを収納するラック（以下、「サーバーラック」という。）の内部の左右の固定用レール間の幅を１９インチとし、ラックマウントサーバーの１ユニットの高さを１．７５インチと規定したものである。なお、ＴＩＡ／ＥＩＡ−３１０−Ｄは奥行きについては規定していない。ＴＩＡ／ＥＩＡ−３１０−Ｄに準拠するサーバーラックは、一般的に１９インチラックとも称される。
【０００５】
１９インチラックに取り付けるラックマウントサーバーは、たとえば、サーバー本体の前面パネルの左右に１９インチラックへの固定用の固定パネルを付け足して全幅を１９インチとし、この固定パネルを、左右の固定用レールにねじ止めする等により１９インチラックに固定される。
【０００６】
サーバーラックには、上下左右の全面がパネルで覆われたキャビネット型のものと、一部または全面がパネルで覆われていないテーブル型のものがある。このうち、情報システム部門やデータセンター等で用いられる大量のサーバーを収納するラックには、サーバーの収納性、防音性、電磁波の遮蔽性等に優れるキャビネット型ラックが用いられる。
【０００７】
ラックマウントサーバーは、稼動させると実装された電子部品が発熱する。このため、キャビネット型ラックには、通常、ラックマウントサーバーを冷却する空気をラック内に導入するファンおよび暖められた空気を排出するファンが設けられる。
【０００８】
近年、ラックマウントサーバーは、電子部品の高密度実装により、奥行きが長くなるとともに発熱量もより増大している。ラックマウントサーバー等の電子機器は、高温下で用いると電子機器の寿命が短くなるため、ラックマウントサーバー内の冷却が大きな課題になっている。
【０００９】
しかし、従来のラックマウントサーバーの冷却は、ラックマウントサーバーの前面パネルのうちＣＤドライブやＨＤＤ等が配置されていない僅かなスペースに設けられた開口部から空気を導入するものである。このため、ラックマウントサーバー内に取り込まれる空気量は十分でなく、さらに、取り込まれた空気もＣＰＵ等の発熱部材に到達する前にサーバー内部で暖められてしまうため、ＣＰＵ等の発熱部材を十分に冷却することができないおそれがある。
【００１０】
これに対し、下記の従来技術が公開されている。
【００１１】
特許文献１（特開２００４−２３０３６号公報）には、上下方向に間隔をおいて配置した複数の棚板に電子機器を載置する電子機器収納ラック内に設ける冷却装置であって、ラックの上下方向に設けたダクトと、冷気をダクトに送風するファンと、棚板毎に配置されたノズルとを備えた冷却装置が開示されている。
【特許文献１】特開２００４−２３０３６号公報
【発明の開示】
【発明が解決しようとする課題】
【００１２】
特許文献１記載の冷却装置は、上下に配置された電子機器の間にノズルを配置する必要があるため、ラック内に電子機器を密に収納することができないという問題があった。
【課題を解決するための手段】
【００１３】
本発明は、上記事情に鑑みてなされたものであり、ラック内に配置される電子機器を効率よく冷却することができる電子機器を提供することを目的とする。
【００１４】
本発明に係る電子機器は、上記課題を解決するものであり、筐体側壁にガイドレール装置と側壁開口部とを備え、前記ガイドレール装置は、前記筐体側壁に固定されたインナーレールと、このインナーレールを遊挿するアウターレールとからなり、このアウターレールは、前記インナーレールが遊挿されるガイド部と、このガイド部の上下方向に平行して設けられ、正面側から背面側に通気可能でかつ前記筐体側壁側に開口した横断面凹字状の冷却流路部とを有し、前記アウターレールは、前記冷却流路部が前記側壁開口部に面するように設けられ、前記冷却流路部と筐体内とが前記側壁開口部を介して通気可能にされたことを特徴とする。
【発明の効果】
【００１５】
本発明に係る電子機器は、電子機器の側面の通気が可能になるため、ラック内に配置される電子機器が効率よく冷却される。
【発明を実施するための最良の形態】
【００１６】
本発明に係る電子機器の実施の形態について添付図面を参照して説明する。
【００１７】
［第１の実施形態］
図１は、本発明に係る電子機器の第１実施形態１０の外観を示す斜視図である。図２は、本発明に係る電子機器の第１実施形態１０の内部構造を簡略化して示す斜視図である。図２は、電子機器１０の一部を破断するとともに、筐体頂面パネル２７を取り除いた状態で示す。
【００１８】
図１に示された電子機器１０は、キャビネット型のサーバーラックに設置可能なラックサーバーの例であるが、電子機器１０は、キャビネット型以外のサーバーラックに設置可能なラックサーバーであってもよく、ラックサーバー以外のサーバーや、サーバー以外のたとえば音響機器等の電子機器であってもよい。
【００１９】
電子機器１０は、電子機器本体１１とガイドレール装置２０とから構成される。
【００２０】
電子機器本体１１は、筐体１２の正面パネル１３に、挿入式のＨＤＤ（ハードディスクドライブ）５５、ＦＤＤ（フロッピー（登録商標）ディスクドライブ）５６、ＣＤ（コンパクトディスク）ドライブ５７およびテープ装置５８が配置されている。
【００２１】
正面パネル１３には、筐体１２内を冷却する空気を取り入れる正面開口部１７が設けられる。
【００２２】
正面開口部１７は、正面パネル１３のうち、ＨＤＤ５５、ＦＤＤ５６、ＣＤドライブ５７およびテープ装置５８を配置していないスペースに設けられる。
【００２３】
なお、電子機器１０は、ガイドレール装置２０を介して空気を筐体１２内に導入することが可能であるため、適宜、正面開口部１７を設けない構成としてもよい。
【００２４】
電子機器本体１１は、筐体１２の内部にたとえばＣＰＵ等の発熱体５０、５０を有する。電子機器１０の発熱体５０の数は２個に限られず、１個でも３個以上でもよい。
【００２５】
電子機器本体１１は、筐体１２の背面パネル１５に、筐体１２の内部の暖められた空気を、背面パネル１５を介して筐体１２の外部に放出する背面ファン５１を有する。
【００２６】
電子機器１０は、筐体１２の側壁１４にガイドレール装置２０と側壁開口部１８とを備える。
【００２７】
側壁開口部１８は、筐体１２の側壁１４に設けられる貫通穴であり、筐体１２内とガイドレール装置２０の冷却流路部３３との間の通気を可能にする。
【００２８】
なお、図１には、側壁開口部１８が、左右の側壁１４、１４に１箇所ずつ設けられているが、適宜、左右の側壁１４、１４に複数箇所ずつ設ける構成としてもよいし、左右いずれかの側壁１４に１箇所だけ設ける構成としてもよい。
【００２９】
ガイドレール装置２０について、図面を参照して説明する。図３は、ガイドレール装置２０を示す斜視図である。図４は、図１のＡ−Ａ線に沿った断面の一部を示す断面図である。
【００３０】
ガイドレール装置２０は、筐体側壁１４に固定されたインナーレール２１と、インナーレール２１を遊挿するアウターレール３０とから構成される。
【００３１】
インナーレール２１は、アウターレール３０のガイド部３２に掛合し、スライドしてアウターレール３０内に収納可能になっている。
【００３２】
インナーレール２１は、平板状のインナーレール本体２２と、インナーレール本体２２から突設されたインナーレールの第１ガイド片２３および第２ガイド片２４とを有する。
【００３３】
第１ガイド片２３はインナーレール本体２２の下方から側面に下方に屈曲した形状で突設され、第２ガイド片２４はインナーレール本体２２の上方から側面に上方に屈曲した形状で突設される。
【００３４】
第１ガイド片２３は、横断面が下方に開口したＣ字状になっており、Ｃ字状の凹部に摺動溝２５が形成される。第２ガイド片２４は、横断面が上方に開口したＣ字状になっており、Ｃ字状の凹部に摺動溝２６が形成される。
【００３５】
第１ガイド片２３および第２ガイド片２４の横断面がそれぞれＣ字状に形成されることより、インナーレール２１は横断面がπ字状になっている。
【００３６】
なお、インナーレール２１は、アウターレール３０のガイド部３２に遊挿可能な形状であればよく、図４に示すような形状のものに限定されない。
【００３７】
インナーレール２１は、たとえば、ねじ止めや接着等により、筐体１２の側壁１４に固定される。
【００３８】
アウターレール３０は、インナーレール２１が遊挿されるガイド部３２と、ガイド部３２の上下方向に平行して設けられた冷却流路部３３とを有する。
【００３９】
ガイド部３２は、平板状のアウターレール本体３１と、アウターレール本体３１の表面の下部から突設されたアウターレールの第１ガイド片３４と、アウターレール本体３１の表面の中部から突設されたアウターレールの第２ガイド片３５とを有する。
【００４０】
第１ガイド片３４は横断面がＬ字状になっており、アウターレール本体３１の表面の下部から垂直方向に突設された底面部３４ａと、底面部３４ａから直角方向に屈曲し上方に延設された先端部３４ｂとから構成される。
【００４１】
第２ガイド片３５は横断面がＬ字状になっており、アウターレール本体３１の表面の中部から垂直方向に突設された頂面部３５ａと、頂面部３５ａから直角方向に屈曲し下方に延設された先端部３５ｂとから構成される。
【００４２】
第１ガイド片３４の先端部３４ｂと第２ガイド片３５の先端部３５ｂとは対向して形成され、アウターレール本体３１、第１ガイド片３４および第２ガイド片３５で囲まれた部分にガイド空間３６が形成される。
【００４３】
アウターレール３０のガイド部３２は、第１ガイド片３４の先端部３４ｂにインナーレール２１の摺動溝２５が掛合し、第２ガイド片３５の先端部３５ｂにインナーレール２１の摺動溝２６が掛合することにより、インナーレール２１が遊挿されるようになっている。
【００４４】
なお、アウターレール３０のガイド部３２は、インナーレール２１を遊挿可能な形状であればよく、図４に示すような形状のものに限定されない。
【００４５】
電子機器１０は、インナーレール２１がアウターレール３０に収納された図１に示す状態からインナーレール２１を一部突出させると、たとえば図２に示す状態になる。
【００４６】
冷却流路部３３は、平板状のアウターレール本体３１と、アウターレール本体３１の表面の上部から突設された庇部４１と、アウターレール本体３１の表面の中部から横断面Ｌ字状に突設されたアウターレールの第２ガイド片３５とを有する。
【００４７】
冷却流路部３３は、アウターレール本体３１、庇部４１および第２ガイド片３５で囲まれた部分に、筐体側壁１４側に開口した横断面凹字状の冷却流路４２を有する。
【００４８】
冷却流路４２には、筐体１２内に導入または筐体１２から排出して筐体１２内を冷却する空気が流通可能になっている。
【００４９】
庇部４１は、アウターレール本体３１の表面から庇部４１の先端部までの長さが、アウターレール本体３１の表面から第２ガイド片３５の先端部３５ｂまでの長さと、インナーレール本体２２の厚さとの合計値と略同じになっている。
【００５０】
庇部４１の長さがこのようになっているため、庇部４１の先端部は、アウターレール３０にインナーレール２１を収納した状態で、筐体側壁１４の近傍に位置するようになっている。
【００５１】
庇部４１の先端部が筐体側壁１４の近傍に位置することにより、筐体側壁１４側に開口した横断面凹字状の冷却流路４２は、筐体側壁１４にも囲まれて実質的に四方に囲まれた空間を形成し、電子機器１０の正面側から背面側に通気可能になっている。
【００５２】
アウターレール３０は、冷却流路部３３が側壁開口部１８に面するように設けられる。ここで、冷却流路部３３が側壁開口部１８に面するとは、冷却流路部３３に形成される冷却流路４２と側壁開口部１８との間で空気の交換が可能な位置関係にあることを意味する。図４に、冷却流路部３３が側壁開口部１８に面する位置関係の一例を示す。
【００５３】
アウターレール３０は、サーバーラックに固定可能になっている。アウターレール３０は、正面側と背面側のそれぞれに、サーバーラック内に立設されたラック支柱に係合可能なラック取り付け部３８が設けられる。ラック取り付け部３８は、ラック取り付け用穴３９が形成される。
【００５４】
図６は、サーバーラックにガイドレール装置２０のアウターレール３０を取り付けた様子を示す斜視図である。図７は、サーバーラックに電子機器１０を取り付けた様子を示す斜視図である。
【００５５】
サーバーラック７０は、天板７１、側板７２、底板７３、側板７４、正面扉７５および背面扉７６を備えたボックス状のキャビネットであり、サーバーラック７０内部の底板７３の四隅から立設される４本のラック支柱７７、７７、７７、７７を備える。
【００５６】
ラック支柱７７には、複数個のラック支柱穴７８が設けられており、奥行き方向に配置された２本のラック支柱７７、７７の間にアウターレール３０を掛け渡し、ラック支柱７７、７７のラック支柱穴７８、７８と、アウターレール３０の前後のラック取り付け用穴３９、３９とを、ボルト４０、４０でそれぞれ固定することにより、サーバーラック７０にアウターレール３０を固定することができるようになっている。
【００５７】
サーバーラック７０に固定されたアウターレール３０のガイド部３２に、筐体側壁１４に固定されたインナーレール２１を挿入し、スライドして収納させると、図７に示すように、電子機器本体１１はサーバーラック７０に固定される。
【００５８】
図７には、電子機器１０がサーバーラック７０に１台だけ固定された様子を示すが、電子機器１０は、サーバーラック７０の縦方向に複数台積み重ねるように配置して固定することができる。
【００５９】
サーバーラック７０は、適宜、サーバーラック７０内に空気を導入するファンや、サーバーラック７０内から空気を排出するファンが設けられる。
【００６０】
次に、電子機器１０の作用を説明する。図８は、電子機器１０を示す拡大斜視図である。図９は、電子機器１０の作用を説明する斜視図である。図８および図９は、筐体頂面パネル２７を取り除いた状態で示す。
【００６１】
初めに、電子機器１０が使用され、発熱体５０、５０等が発熱する等により、図９に示す背面ファン５１が稼動すると、筐体１２内の空気が背面ファン５１から筐体１２外に排出される（矢印Ｚ）。
【００６２】
筐体１２内の空気が筐体１２外に排出されると、筐体１２内部が負圧になるため、筐体１２外から、正面パネル１３の正面開口部１７を介して空気が導入される（矢印Ｘ、矢印Ｙ）。
【００６３】
インナーレール２１がアウターレール３０のガイド部３２に収納されている場合は、正面開口部１７からの空気の導入（矢印Ｘ、矢印Ｙ）に加えて、ガイドレール装置２０の冷却流路部３３の正面側から空気が導入され（矢印Ｐ）、ガイドレール装置２０の冷却流路部３３の背面側から空気が排出される（矢印Ｓ）。
【００６４】
ガイドレール装置２０の冷却流路部３３を空気が矢印Ｐから矢印Ｓの方向に通過する際に、筐体１２内の負圧が冷却流路部３３内の負圧よりも大きい場合は、側壁開口部１８を介して冷却流路部３３内から筐体１２内に空気が導入される（矢印Ｑ）。
【００６５】
一方、ガイドレール装置２０の冷却流路部３３を空気が矢印Ｐから矢印Ｓの方向に通過する際に、筐体１２内の負圧が冷却流路部３３内の負圧よりも小さい場合は、側壁開口部１８を介して筐体１２内から冷却流路部３３内に空気が排出される（矢印Ｒ）。
【００６６】
通常は、筐体１２内の負圧のほうが冷却流路部３３内の負圧よりも大きいため、ガイドレール装置２０の冷却流路部３３内の空気が筐体１２内に導入される（矢印Ｑ）。
【００６７】
しかし、たとえば、筐体１２内の正面パネル１３の近傍に、正面開口部１７からの空気の導入を強める図示しない内部ファンを取り付けた場合には、筐体１２内の負圧のほうが冷却流路部３３内の負圧よりも小さくなり、筐体１２内の空気が冷却流路部３３に排出される（矢印Ｒ）ことがある。
【００６８】
電子機器１０によれば、ラック内に配置される電子機器の側面のスペースを用いて電子機器の側面の通気が可能になるため、側面の通気ができない電子機器よりも冷却効率が向上するとともに電子機器の側面のスペースを有効活用することができる。
【００６９】
［第２の実施形態］
次に、図１０および図１１を参照して、本発明に係る電子機器の第２の実施形態について説明する。
【００７０】
図１０は、本発明に係る電子機器の第２実施形態１０Ａを示す拡大斜視図である。図１０は、筐体頂面パネル２７を取り除いた状態で示す。
【００７１】
電子機器１０Ａは、第１の実施形態に示された電子機器１０に対し、ガイドレール装置２０を、アウターレール３０の冷却流路部３３内に仕切り弁４８Ａを設けたガイドレール装置２０Ａに代えた点で異なり、他の点は同様であるため、同じ部材に同じ符号を付して説明を簡略化または省略する。
【００７２】
ガイドレール装置２０Ａは、筐体側壁１４に固定されたインナーレール２１と、インナーレール２１を遊挿するアウターレール３０Ａとから構成される。
【００７３】
アウターレール３０Ａは、インナーレール２１が遊挿されるガイド部３２と、ガイド部３２の上下方向に平行して設けられた冷却流路部３３と、冷却流路部３３内に設けられる仕切り弁４８Ａとを有する。
【００７４】
仕切り弁４８Ａは、インナーレール２１をアウターレール３０Ａのガイド部３２に収納した状態で、冷却流路部３３内の側壁開口部１８に相対する位置よりも背面側に、冷却流路部３３内の通気を遮断するように設けられる。
【００７５】
仕切り弁４８Ａは、たとえば、図示しないねじ等でアウターレール３０Ａのアウターレール本体３１、庇部４１または第２ガイド片３５等にねじ止めして固定する。
【００７６】
次に、電子機器１０Ａの作用を図１０および図１１を参照して説明する。図１１は、本発明に係る電子機器の第２実施形態１０Ａの作用を説明する斜視図である。図１１は、筐体頂面パネル２７を取り除いた状態で示す。
【００７７】
初めに、電子機器１０Ａが使用され、発熱体５０、５０等が発熱する等により、図１１に示す背面ファン５１が稼動すると、筐体１２内の空気が背面ファン５１から筐体１２外に排出される（矢印Ｚ）。
【００７８】
筐体１２内の空気が筐体１２外に排出されると、筐体１２内部が負圧になるため、筐体１２外から、正面パネル１３の正面開口部１７を介して空気が導入される（矢印Ｘ、矢印Ｙ）。
【００７９】
インナーレール２１がアウターレール３０Ａのガイド部３２に収納されている場合は、正面開口部１７からの空気の導入（矢印Ｘ、矢印Ｙ）に加えて、ガイドレール装置２０Ａの冷却流路部３３の正面側から空気が導入される（矢印Ｐ）。
【００８０】
冷却流路部３３内に導入された空気は仕切り弁４８Ａによりガイドレール装置２０Ａの冷却流路部３３の背面側への通気が妨害され、導入された空気の略全量が側壁開口部１８を介して冷却流路部３３内から筐体１２内に空気が導入される（矢印Ｑ）。
【００８１】
冷却流路部３３内から筐体１２内に導入された空気は、正面開口部１７から導入された空気（矢印Ｘ、矢印Ｙ）とともに、背面ファン５１から筐体１２外に排出される（矢印Ｚ）。
【００８２】
電子機器１０Ａによれば、ラック内に配置される電子機器の側面のスペースを用いて電子機器の側面の正面側から筐体内へ空気を導入することが可能になるため、側面の通気ができない電子機器よりも冷却効率が向上するとともに電子機器の側面のスペースを有効活用することができる。
【００８３】
［第３の実施形態］
次に、図１２を参照して、本発明に係る電子機器の第３の実施形態について説明する。図１２は、本発明に係る電子機器の第３実施形態１０Ｂを示す拡大斜視図である。図１２は、筐体頂面パネル２７を取り除いた状態で示す。
【００８４】
電子機器１０Ｂは、第２の実施形態に示された電子機器１０Ａに対し、ガイドレール装置２０Ａを、アウターレール３０の冷却流路部３３内にさらにファン４９Ａを設けたガイドレール装置２０Ｂに代えた点で異なり、他の点は同様であるため、同じ部材に同じ符号を付して説明を簡略化または省略する。
【００８５】
ガイドレール装置２０Ｂは、筐体側壁１４に固定されたインナーレール２１と、インナーレール２１を遊挿するアウターレール３０Ｂとから構成される。
【００８６】
アウターレール３０Ｂは、インナーレール２１が遊挿されるガイド部３２と、ガイド部３２の上下方向に平行して設けられた冷却流路部３３と、冷却流路部３３内に設けられる仕切り弁４８Ａと、冷却流路部３３内に設けられるファン４９Ａとを有する。
【００８７】
ファン４９Ａは、ファン４９Ａの側面から空気を吸入する吸入口４５Ａと、ファン４９Ａの正面から空気を吐出する吐出口４６Ａとを有する。
【００８８】
ファン４９Ａは、インナーレール２１をアウターレール３０Ｂのガイド部３２に収納した状態で、冷却流路部３３内の側壁開口部１８に略対向する位置に、ファン４９Ａの吐出口４６Ａを側壁開口部１８に向けて、冷却流路部３３から側壁開口部１８への通気を付勢するように設けられる。
【００８９】
すなわち、ファン４９Ａは、吸入口４５Ａを冷却流路部３３の正面側に向け、かつ、吐出口４６Ａを側壁開口部１８側に向けて配置される。
【００９０】
ファン４９Ａは、たとえば、図示しないねじ等でアウターレール３０Ｂのアウターレール本体３１、庇部４１または第２ガイド片３５等にねじ止めして固定する。
【００９１】
電子機器１０Ｂの作用は、電子機器１０Ａの作用において、仕切り弁４８Ａにより背面側への冷却流路部３３の通気が妨害され、側壁開口部１８を介して冷却流路部３３内から筐体１２内に導入される矢印Ｑで示される空気が、ファン４９Ａで付勢される点以外は同じであるため説明を省略する。
【００９２】
電子機器１０Ｂによれば、ラック内に配置される電子機器の側面のスペースを用いて電子機器の側面の正面側から筐体内へ空気を導入することが強力に行われるため、側面の通気ができない電子機器よりも冷却効率が向上するとともに電子機器の側面のスペースを有効活用することができる。
【００９３】
［第４の実施形態］
次に、図１３および図１４を参照して、本発明に係る電子機器の第４の実施形態について説明する。
【００９４】
図１３は、本発明に係る電子機器の第４実施形態１０Ｃを示す拡大斜視図である。図１３は、筐体頂面パネル２７を取り除いた状態で示す。
【００９５】
電子機器１０Ｃは、第１の実施形態に示された電子機器１０に対し、ガイドレール装置２０を、アウターレール３０の冷却流路部３３内に仕切り弁４８Ｂを設けたガイドレール装置２０Ｃに代えた点で異なり、他の点は同様であるため、同じ部材に同じ符号を付して説明を簡略化または省略する。
【００９６】
ガイドレール装置２０Ｃは、筐体側壁１４に固定されたインナーレール２１と、インナーレール２１を遊挿するアウターレール３０Ｃとから構成される。
【００９７】
アウターレール３０Ｃは、インナーレール２１が遊挿されるガイド部３２と、ガイド部３２の上下方向に平行して設けられた冷却流路部３３と、冷却流路部３３内に設けられる仕切り弁４８Ｂとを有する。
【００９８】
仕切り弁４８Ｂは、インナーレール２１をアウターレール３０Ｃのガイド部３２に収納した状態で、冷却流路部３３内の側壁開口部１８に相対する位置よりも正面側に、冷却流路部３３内の通気を遮断するように設けられる。
【００９９】
仕切り弁４８Ｂは、たとえば、図示しないねじ等でアウターレール３０Ｃのアウターレール本体３１、庇部４１または第２ガイド片３５等にねじ止めして固定する。
【０１００】
次に、電子機器１０Ｃの作用を図１３および図１４を参照して説明する。図１４は、本発明に係る電子機器の第４実施形態１０Ｃの作用を説明する斜視図である。図１４は、筐体頂面パネル２７を取り除いた状態で示す。
【０１０１】
初めに、電子機器１０Ｃが使用され、発熱体５０、５０等が発熱する等により、図１４に示す背面ファン５１が稼動すると、筐体１２内の空気が背面ファン５１から筐体１２外に排出される（矢印Ｚ）。
【０１０２】
筐体１２内の空気が筐体１２外に排出されると、筐体１２内部が負圧になるため、筐体１２外から、正面パネル１３の正面開口部１７を介して空気が導入される（矢印Ｘ、矢印Ｙ）。
【０１０３】
なお、冷却流路部３３内に仕切り弁４８Ｂが設置されているため、冷却流路部３３の正面側からは、空気は導入されない。
【０１０４】
インナーレール２１がアウターレール３０Ｃのガイド部３２に収納されている場合は、筐体１２内の空気は、矢印Ｚで示される背面ファン５１から筐体１２外への排出以外に、側壁開口部１８を介して筐体１２内から冷却流路部３３内に排出され（矢印Ｒ）、冷却流路部３３の背面側から空気が排出される（矢印Ｓ）。
【０１０５】
電子機器１０Ｃによれば、ラック内に配置される電子機器の側面のスペースを用いて筐体内の空気を電子機器の側面の背面側から排出することが可能になるため、側面の通気ができない電子機器よりも冷却効率が向上するとともに電子機器の側面のスペースを有効活用することができる。
【０１０６】
［第５の実施形態］
次に、図１５を参照して、本発明に係る電子機器の第５の実施形態について説明する。図１５は、本発明に係る電子機器の第５実施形態１０Ｄを示す拡大斜視図である。図１５は、筐体頂面パネル２７を取り除いた状態で示す。
【０１０７】
電子機器１０Ｄは、第４の実施形態に示された電子機器１０Ｃに対し、ガイドレール装置２０Ｃを、アウターレール３０の冷却流路部３３内にさらにファン４９Ｂを設けたガイドレール装置２０Ｄに代えた点で異なり、他の点は同様であるため、同じ部材に同じ符号を付して説明を簡略化または省略する。
【０１０８】
ガイドレール装置２０Ｄは、筐体側壁１４に固定されたインナーレール２１と、インナーレール２１を遊挿するアウターレール３０Ｄとから構成される。
【０１０９】
アウターレール３０Ｄは、インナーレール２１が遊挿されるガイド部３２と、ガイド部３２の上下方向に平行して設けられた冷却流路部３３と、冷却流路部３３内に設けられる仕切り弁４８Ｂと、冷却流路部３３内に設けられるファン４９Ｂとを有する。
【０１１０】
ファン４９Ｂは、ファン４９Ｂの正面から空気を吸入する吸入口４５Ｂと、ファン４９Ａの側面から空気を吐出する吐出口４６Ｂとを有する。
【０１１１】
ファン４９Ｂは、インナーレール２１をアウターレール３０Ｄのガイド部３２に収納した状態で、冷却流路部３３内の側壁開口部１８に略対向する位置に、ファン４９Ｂの吸入口４５Ｂを側壁開口部１８に向けて、側壁開口部１８から冷却流路部３３への通気を付勢するように設けられる。
【０１１２】
すなわち、ファン４９Ｂは、吸入口４５Ｂを側壁開口部１８側に向け、かつ、吐出口４６Ｂを冷却流路部３３の背面側に向けて配置される。
【０１１３】
ファン４９Ｂは、たとえば、図示しないねじ等でアウターレール３０Ｄのアウターレール本体３１、庇部４１または第２ガイド片３５等にねじ止めして固定する。
【０１１４】
電子機器１０Ｄの作用は、電子機器１０Ｃの作用において、仕切り弁４８Ｂにより正面側からの冷却流路部３３の通気が妨害され、側壁開口部１８を介して筐体１２内から冷却流路部３３内に排出される矢印Ｒで示される空気が、ファン４９Ｂで付勢される点以外は同じであるため説明を省略する。
【０１１５】
電子機器１０Ｄによれば、ラック内に配置される電子機器の側面のスペースを用いて筐体内の空気を電子機器の側面の背面側から強力に排出することが可能になるため、側面の通気ができない電子機器よりも冷却効率が向上するとともに電子機器の側面のスペースを有効活用することができる。
【０１１６】
［第６の実施形態］
次に、図１０、図１１、図１３および図１４を参照して、本発明に係る電子機器の第６の実施形態１０Ｅについて説明する。
【０１１７】
電子機器１０Ｅは、第２の実施形態に示された電子機器１０Ａにおいて、仕切り弁４８Ａを冷却流路部３３内で移動自在な仕切り弁４８Ｃとし、仕切り弁４８Ｃの取り付け位置を仕切り弁４８Ａの取り付け位置と、第４の実施形態に示された電子機器１０Ｃの仕切り弁４８Ｂの取り付け位置との間で選択可能にした点で異なり、他の点は同様であるため、同じ部材に同じ符号を付して説明を簡略化または省略する。
【０１１８】
仕切り弁４８Ｃは、冷却流路部３３内で移動自在にし、冷却流路部３３内の通気を遮断するように設けられた仕切り弁であり、第２の実施形態に示された電子機器１０Ａの仕切り弁４８Ａの取り付け位置と、第４の実施形態に示された電子機器１０Ｃの仕切り弁４８Ｂの取り付け位置との間で選択可能にしたものである。
【０１１９】
仕切り弁４８Ｃは、たとえば、アウターレール３０Ａのアウターレール本体３１、庇部４１または第２ガイド片３５等に、さらに仕切り弁４８Ｂの取り付け位置に対応するねじ穴を設けることにより、仕切り弁４８Ａの取り付け位置と、仕切り弁４８Ｂの取り付け位置との間で取り付け位置を選択することが可能になる。
【０１２０】
この際、仕切り弁４８Ｃが取り付けられていない位置のねじ穴は、空気が漏れないように、たとえばダミーのねじを挿入する。
【０１２１】
電子機器１０Ｅは、仕切り弁４８Ｃを冷却流路部３３内で移動自在にしたことにより、第２の実施形態に示された電子機器１０Ａまたは第４の実施形態に示された電子機器１０Ｃの形態のいずれかを任意に選択可能にしたものである。電子機器１０Ｅの作用は、電子機器１０Ａの作用または電子機器１０Ｃの作用のいずれかと同じであるため説明を省略する。
【０１２２】
なお、電子機器１０Ｅは、アウターレール３０の冷却流路部３３内にさらに、第３の実施形態に示された電子機器１０Ｂのファン４９Ａ、または、第５の実施形態に示された電子機器１０Ｄのファン４９Ｂを設ける構成としてもよい。
【０１２３】
電子機器１０Ｅにファン４９Ａを設けた形態の作用は、第３の実施形態に示された電子機器１０Ｂの作用と同じであり、電子機器１０Ｅにファン４９Ｂを設けた形態の作用は、第５の実施形態に示された電子機器１０Ｄの作用と同じであるため説明を省略する。
【０１２４】
電子機器１０Ｅによれば、ラック内に配置される電子機器の側面のスペースを用いて、電子機器の側面の正面側から筐体内へ空気を導入すること、または、筐体内の空気を電子機器の側面の背面側から排出することを任意に選択することが可能になるため、側面の通気ができない電子機器よりも冷却効率が向上するとともに電子機器の側面のスペースを有効活用することができる。
【図面の簡単な説明】
【０１２５】
【図１】本発明に係る電子機器の第１実施形態の外観を示す斜視図。
【図２】本発明に係る電子機器の第１実施形態の内部構造を簡略化して示す斜視図。
【図３】ガイドレール装置を示す斜視図。
【図４】図１のＡ−Ａ線に沿った断面の一部を示す断面図。
【図５】本発明に係る電子機器の第１実施形態の外観を示す斜視図。
【図６】サーバーラックにガイドレール装置のアウターレールを取り付けた様子を示す斜視図。
【図７】サーバーラックに本発明に係る電子機器の第１実施形態を取り付けた様子を示す斜視図。
【図８】本発明に係る電子機器の第１実施形態を示す拡大斜視図。
【図９】本発明に係る電子機器の第１実施形態の作用を説明する斜視図。
【図１０】本発明に係る電子機器の第２実施形態を示す拡大斜視図。
【図１１】本発明に係る電子機器の第２実施形態の作用を説明する斜視図。
【図１２】本発明に係る電子機器の第３実施形態を示す拡大斜視図。
【図１３】本発明に係る電子機器の第４実施形態を示す拡大斜視図。
【図１４】本発明に係る電子機器の第４実施形態の作用を説明する斜視図。
【図１５】本発明に係る電子機器の第５実施形態を示す拡大斜視図。
【符号の説明】
【０１２６】
１０  電子機器
１１  電子機器本体
１２  筐体
１３  筐体正面パネル
１４  筐体側壁
１５  筐体背面パネル
１６  筐体底板
１７  正面開口部
１８  側壁開口部
１９  背面開口部
２０  ガイドレール装置
２１  インナーレール
２２  インナーレール本体
２３  インナーレールの第１ガイド片
２４  インナーレールの第２ガイド片
２５  インナーレールの第１ガイド片の摺動溝
２６  インナーレールの第２ガイド片の摺動溝
２７  筐体頂面パネル
３０  アウターレール
３１  アウターレール本体
３２  ガイド部
３３  冷却流路部
３４  アウターレールの第１ガイド片
３４ａ  アウターレールの第１ガイド片の底面部
３４ｂ  アウターレールの第１ガイド片の先端部
３５  アウターレールの第２ガイド片
３５ａ  アウターレールの第２ガイド片の頂面部
３５ｂ  アウターレールの第２ガイド片の先端部
３６  ガイド空間
３８  アウターレールのラック取り付け部
３９  ラック取り付け用穴
４０  ボルト
４１  冷却流路部の庇部
４２  冷却流路
４５Ａ、４５Ｂ  ファンの吸入口
４６Ａ、４６Ｂ  ファンの吐出口
４８Ａ、４８Ｂ  仕切り弁
４９Ａ、４９Ｂ、４９Ｃ  ファン
５０  発熱デバイス
５１  背面ファン
５５  ＨＤＤ（ハードディスクドライブ）
５６  ＦＤＤ（フロッピーディスクドライブ）
５７  ＣＤ（コンパクトディスク）ドライブ
５８  テープ装置
７０  サーバーラック
７１  天板
７２、７４  側板
７３  底板
７５  正面扉
７６  背面扉
７７  ラック支柱
７８  ラック支柱穴
【図１】
2007272293.tif 000003
【図２】
2007272293.tif 000004
【図３】
2007272293.tif 000005
【図４】
2007272293.tif 000006
【図５】
2007272293.tif 000007
【図６】
2007272293.tif 000008
【図７】
2007272293.tif 000009
【図８】
2007272293.tif 000010
【図９】
2007272293.tif 000011
【図１０】
2007272293.tif 000012
【図１１】
2007272293.tif 000013
【図１２】
2007272293.tif 000014
【図１３】
2007272293.tif 000015
【図１４】
2007272293.tif 000016
【図１５】
2007272293.tif 000017